(57)【要約】【課題】  視界が広く且つ、取扱い性の良い防塵、防疫、災害用のフードの提供。【解決手段】  フード本体１の少なくとも前面側を屈曲自在なシート材１ａで形成し、マスク取付け部３にマスク４を取付け、そのマスク４をゴム紐４ａによって被着者に装着したとき、窓部２の自重により、その下部がマスク４の上部よりも下方に下がるように形成する。【選択図】        図１
2010158471.tif 000002
【特許請求の範囲】
【請求項１】
被着者の少なくとも顔を含む頭部全体に被着されるフード本体 (1)と、その本体(1) の前面に設けられ透明体(2a)を有する窓部(2) および、その窓部(2) の下部に設けたマスク取付け部(3) を具備するフードにおいて、
前記フード本体(1) の少なくとも前記前面が、軟質フィルム，布等の屈曲自在なシート材(1a)からなり、
前記マスク取付け部(3) に取り付けられるマスク(4)は、それ自体に被着者の頭部または耳に係止されるゴム紐(4a)または紐を有して、その鼻と口を固定的に覆うものであり、
そのマスク取付け状態で、前記窓部(2) の自重により、その下部が前記マスク取付け部(3) の上部よりも下方に下がり、それにより被着者の視界を広くしたことを特徴とするフード。
【請求項２】
請求項１において、
前記マスク取付け部(3) は、開口(3c)を有する可撓性の枠部(3a)を有し、その枠部(3a)の四周に塑性変形自在な線材(3b)が取付けられ、所望のマスク(4)の外形に応じて、その枠部(3a)およびその開口(3c)が変形自在に形成されたことを特徴とするフード。
【請求項３】
請求項１または請求項２において、
前記窓部(2) の透明体(2a)が可撓性を有し、その透明体(2a)を支持する窓枠(2b)が可撓性であり、その窓枠(2b)の少なくとも上辺と下辺に塑性変形自在な線材(2c)が取付けられて、それが前面側に凸湾曲できるように形成されたことを特徴とするフード。
【発明の詳細な説明】
【技術分野】
【０００１】
本発明は、塗装作業や消毒作業等の各種作業用あるいは防災用のフードに関し、フード本体に透明な窓とマスク取付け部とを有するものに関する。
【背景技術】
【０００２】
避難用マスクとして、下記特許文献１のものが知られている。これは避難者の頭部全体を覆うことが可能な頭巾部と、避難者の口および鼻近傍に対応するマスク部とを有し、そのマスク部を除いて頭巾の前面側が全て透明体で形成されている。そして、避難者はその避難マスクを被り、首部分の紐を締付けることにより避難マスクを安定させるものである。
【先行技術文献】
【特許文献】
【０００３】
【特許文献１】実開平３−５４６６１号公報
【特許文献２】実公平６−２０５３９号公報
【発明の概要】
【発明が解決しようとする課題】
【０００４】
従来の避難マスクは、マスク部分と避難者の口とが分離し、口の前方にマスクが存在する。そのためそのマスク部分によって、下方の視界がさえぎられる欠点があった。さらには、マスク部分はあらかじめ所定形状のものが取付けられたものであるため、各種用途の市販マスクを取付けて、目的に応じたフードとすることはできなかった。そして、全体が比較的に剛性のある円筒形に形成されているため、保管時にかさばる欠点があった。
そこで本発明はこれらの欠点を取除くことを課題とする。
【課題を解決するための手段】
【０００５】
請求項１に記載の本発明は、被着者の少なくとも顔を含む頭部全体に被着されるフード本体 (1)と、その本体(1) の前面に設けられ透明体(2a)を有する窓部(2) および、その窓部(2) の下部に設けたマスク取付け部(3) を具備するフードにおいて、
前記フード本体(1) の少なくとも前記前面が、軟質フィルム，布等の屈曲自在なシート材(1a)からなり、
前記マスク取付け部(3) に取り付けられるマスク(4)は、それ自体に被着者の頭部または耳に係止されるゴム紐(4a)または紐を有して、その鼻と口を固定的に覆うものであり、
そのマスク取付け状態で、前記窓部(2) の自重により、その下部が前記マスク取付け部(3) の上部よりも下方に下がり、それにより被着者の視界を広くしたことを特徴とするフードである。
【０００６】
請求項２に記載の本発明は、請求項１において、
前記マスク取付け部(3) は、開口(3c)を有する可撓性の枠部(3a)を有し、その枠部(3a)の四周に塑性変形自在な線材(3b)が取付けられ、所望のマスク(4)の外形に応じて、その枠部(3a)およびその開口(3c)が変形自在に形成されたことを特徴とするフードである。
請求項３に記載の本発明は、請求項１または請求項２において、
前記窓部(2) の透明体(2a)が可撓性を有し、その透明体(2a)を支持する窓枠(2b)が可撓性であり、その窓枠(2b)の少なくとも上辺と下辺に塑性変形自在な線材(2c)が取付けられて、  それが前面側に凸湾曲できるように形成されたことを特徴とするフードである。
【発明の効果】
【０００７】
本発明のフードは、フード本体１の少なくとも前面が屈曲自在なシート材１ａからなり、マスク４をゴム紐４ａによって被着者の鼻と口に固定したとき、その状態で窓部２の自重により、その下部がマスク取付け部３の上部より下方に下がり、それにより被着者の視界を広くしたものであるから、従来のフードに比べてとくに下方の視界が広く、安全で取扱い易いものとなる。
【０００８】
上記構成において、請求項２に記載のようにマスク取付け部３の枠部３ａに塑性変形自在な線材３ｂを取り付け、シート変形部５の外形に応じて、その枠部３ａおよび開口３ｃを変形自在とした場合には、市販の各種形状のマスク４をそのままフードのマスク取付け部３に取付けることができる。それにより目的に応じた最適なマスク４を装着することが可能となる。
上記いずれかの構成において、請求項３に記載のように窓部２の透明体２ａを可撓性とし、その透明体２ａを支持する窓枠２ｂに塑性変形自在な線材２ｃを取付けた場合には、その線材２ｃを変形することにより、透明体２ａを前面側に凸湾曲でき、さらに視界を広く取ることができる。それと共に、フードの保管の際には、それを平坦にしてコンパクトに積み重ねることができる。
【図面の簡単な説明】
【０００９】
【図１】本発明のフード６の使用状態を示す正面図。
【図２】同縦断面側面図。
【図３】同フード６の正面図。
【００１０】
【図４】図３のIV-IV矢視断面図。
【図５】同フード６のマスク取付け部３にマスク４を取付けた状態を示す正面図。
【図６】図５のVI-VI矢視断面図。
【発明を実施するための形態】
【００１１】
次に図面に基づいて本発明の実施の形態につき説明する。
図１は被着者７に本発明のフード６を被せた状態を示す正面図であり、図２は同側面断面図である。また、図３はフード６の正面図であって、マスク取付け部３にマスク４が存在しない状態を示し、図４は図３のIV−IV矢視断面図である。また、図５はそのマスク取付け部３にマスク４を取付けた状態を示す正面図であり、図６は図５のVI−VI矢視断面図である。
【００１２】
このフード６は、被着者７の顔および頭全体を被着するフード本体１とフード本体１の前面に取付けられた透明体２ａを有する窓部２と、その窓部２の下部に設けたマスク取付け部３を具備する。そして、フード本体１は軟質フィルム、布等の屈曲自在なシート材１ａからなる。この例ではシート材１ａは、透明又は半透明の軟質塩ビニールシートからなる。
【００１３】
そして、そのフード本体１の前面側に屈曲自在な窓枠２ｂが取付けられ、窓枠２ｂの内側が開口され、そこに樹脂製の透明体２ａが取付けられている。この透明体２ａは可撓性であり、被着者７の息等で曇ることのない、防曇フィルム（商品名トリアセテートフィルム）を用いることができる。この透明体２ａを取付ける窓枠２ｂは一例として厚さ１〜３ｍｍ程の軟質発泡樹脂をフード本体１に接着または溶着したものとすることができる。その窓枠２ｂの内部にアルミニウム線等からなる線材２ｃが埋設されている。この線材２ｃを被着者７の顔面に沿って凸湾曲に塑性変形させることにより、透明体２ａ自体が凸湾曲し、視界を広くすると共に、装着性を良好とすることができる。線材２ｃはこの例では窓枠２ｂの上辺と下辺に配置されている。
【００１４】
次に、フード６の窓部２の下方にはマスク取付け部３が設けられている。このマスク取付け部３には枠部３ａを有し、その枠部３ａ内に方形に形成された線材３ｂが埋設されている。この線材３ｂおよび枠部３ａは、前記窓部２の窓枠２ｂ，線材２ｃと同様に形成されている。即ち、線材３ｂはアルミニウム線等からなる塑性変形自在なものである。その線材を方形に形成し、その端部どうしを溶接またはテープ等で止着したものである。そして、枠部３ａの内側には開口３ｃが設けられ、線材３ｂを変形することにより開口３ｃ自体を変形しうる。この枠部３ａは、一例として厚さ１〜３ｍｍの軟質発泡樹脂で形成することができる。
【００１５】
そして、その枠部３ａをフード本体１のシート材１ａに接着または溶着等で接合することができる。このような枠部３ａには、図５，図６に示すマスク４の外周を粘着剤を介してフード本体１のシート材１ａに接着することができる。このとき、線材３ｂをマスク４外周に整合するように変形させればよい。このマスク４にはゴム紐４ａまたは図示しない紐が取付けられ、それによって図１、図２のごとく被着者７の頭部または耳に係止され、マスク４は被着者７の鼻および口の回りに接してそれらを被う。すると、窓部２の自重によって相対的に透明体２ａが下がり、前面側のシート材１ａに図２に示すシート変形部５が形成される。このときマスク４は被着者７の口と鼻の周りに固定されている。そして、透明体２ａの下部が下がることにより、被着者７はその鼻の下方まで視界が広がる。
【００１６】
なお、この例ではフード本体１の首部分に紐が存在しないが、そこに紐を取付けて被着者７の首部分を密閉することができる。さらには、フード本体１は頭部のみならず、肩および胸までそれを伸ばすことができる。或いはそれに袖を取付けてもよい。
また、フード６の保管状態においてはマスク４が存在せず、窓部２の線材２ｃは平坦に位置され、折りたたまれて多数のフード６を積み重ねることができる。そして、防塵作業を行うときにはマスク４を防塵用のものとし、防疫を行うときは防疫マスクを取付ける等作業にあわせて最適なマスク４を選択することができる。また、防災用のフードとして用いるときは、フード本体１を防炎加工した布（不織布を含む）とすることができる。
【符号の説明】
【００１７】
１  フード本体
1a  シート材
２  窓部
2a  透明体
2b  窓枠
2c  線材
３  マスク取付け部
3a  枠部
3b  線材
3c  開口
【００１８】
４  マスク
4a  ゴム紐
５  シート変形部
６  フード
７  被着者
８  溶着部
【図１】
2010158471.tif 000003
【図２】
2010158471.tif 000004
【図３】
2010158471.tif 000005
【図４】
2010158471.tif 000006
【図５】
2010158471.tif 000007
【図６】
2010158471.tif 000008